【誤訳訂正書】
【提出日】平成22年1月13日(2010.1.13)
【誤訳訂正１】
【訂正対象書類名】特許請求の範囲
【訂正対象項目名】全文
【訂正方法】変更
【訂正の内容】
【特許請求の範囲】
【請求項１】
エアインターフェースのダウンリンクチャネル（ＤＣ）およびフィードバックチャネル（ＦＣ）を介して、データ伝送、信号制御、およびリンク適合のために複数のユーザ端末（ＵＥ）と通信するようにネットワーク（Ｎ）が構成されるとともに、いくつかの端末（ＵＥ）が、端末自体の特定のチャネル伝達関数（Ｈｆ）を評価する、ＯＦＤＭなどの多重搬送波変調を用いる無線システムにおいて、ユーザ端末（ＵＥ）に副搬送波周波数を割り振る方法であって、
ある特定の期間に渡って端末（ＵＥ）のチャネル伝達関数（Ｈｆ）評価が起こると、端末が、端末のチャネル伝達関数（Ｈｆ）が予測可能であるかどうか、また、端末が周波数選択性副搬送波割振り方法に関与したいかどうかを、端末のフィードバックチャネル（ＦＣ）を介してネットワーク（Ｎ）に報告し、
周波数選択性割振り手順に関与する端末（ＵＥ）の数、端末それぞれのトラフィック要求、および端末のチャネル伝達関数（Ｈｆ）特性についての情報に応じて、ネットワークが、使用可能な副搬送波周波数セットを、少なくとも２つの論理ブロックまたは周波数サブセット（ＳＵ１、ＳＵ２）に区分し、
関与端末（ＵＥ）が、端末の、測定されたチャネル伝達関数（Ｈｆ）および干渉ノイズ評価についての情報を、フィードバックチャネル（ＦＣ）を介してネットワーク（Ｎ）に折り返し報告し、
ネットワーク（Ｎ）が、この情報に従い、チャネル伝達関数（Ｈｆ）についての、端末のフィードバック情報に従って、伝送に有用な副搬送波を前記端末に割り当てることによって、少なくとも１つの周波数の第１のサブセット（ＳＵ１）の副搬送波周波数を、周波数選択性割振り方式に従って関与端末に割り振り、周波数インタリーブ方式に従って、それ以外の端末に、少なくとも１つの第２の周波数サブセット（ＳＵ２）の副搬送波周波数を割り振ることを特徴とする方法。
【請求項２】
ネットワーク（Ｎ）が、端末に割り振られる副搬送波用の変調方式をさらに決定することを特徴とする請求項１に記載の方法。
【請求項３】
関与端末（ＵＥ）が、端末の測定されたチャネル伝達関数（Ｈｆ）および／または干渉ノイズ評価についての情報を、圧縮符号化された形で、フィードバックチャネル（ＦＣ）を介してネットワーク（Ｎ）に折り返し報告することを特徴とする請求項１または２に記載の方法。
【請求項４】
関与端末（ＵＥ）が、特定のパイロット副搬送波についての量子化された測定値を、ネットワークに折り返し報告することを特徴とする請求項３に記載の方法。
【請求項５】
関与端末（ＵＥ）が、チャネルインパルス応答の評価された遅延および振幅値を、量子化された形で、ネットワークに折り返し報告することを特徴とする請求項３に記載の方法。
【請求項６】
関与端末（ＵＥ）が、それぞれのどの変調方式が、どの周波数において伝送に適合しており、どの周波数において適合していないかを示す、副搬送波周波数の軸に渡る整数関数を、ネットワーク（Ｎ）に折り返し報告することを特徴とする請求項３に記載の方法。
【請求項７】
前記整数関数が、ランレングス符号化などのソース符号化アルゴリズムによって、圧縮された形で送信されることを特徴とする請求項６に記載の方法。
【請求項８】
ネットワーク（Ｎ）が、ユーザ／サービス要求またはユーザ／サービス優先度のような要因を考慮して、周波数選択性方式に関与する端末（ＵＥ）に対して副搬送波周波数をさらに割り当てることを特徴とする請求項１または２に記載の方法。
【請求項９】
ユーザ端末（ＵＥ）が周波数選択割振り方法に関与するかどうかについての情報、ならびに／あるいはユーザ端末のチャネル伝達関数（Ｈｆ）および／または干渉ノイズ評価についての情報を受信する手段と、使用可能な副搬送波周波数セットを少なくとも２つの論理ブロックまたは周波数サブセット（ＳＵ１、ＳＵ２）に区分する手段と、チャネル伝達関数（Ｈｆ）についての、端末のフィードバック情報に従って、伝送に有用な副搬送波を前記端末に割り当てることによって、周波数選択性割振り方式に従って、少なくとも１つの周波数の第１のサブセット（ＳＵ１）の副搬送波周波数を関与端末に割り振る手段とを備えることを特徴とするネットワーク要素（ＮＥ）。
【請求項１０】
端末に割り振られる副搬送波用の変調方式を決定する手段をさらに備えることを特徴とする請求項９に記載のネットワーク要素（ＮＥ）。
【請求項１１】
ある特定の期間に渡って端末のチャネル伝達関数（Ｈｆ）および干渉ノイズを評価し、端末の、測定されたチャネル伝達関数（Ｈｆ）および／または干渉ノイズ評価についての前記情報を、好ましくは圧縮符号化された形で、フィードバックチャネル（ＦＣ）を介してネットワーク（Ｎ）に折り返し報告する手段を備えるユーザ端末（ＵＥ）。
【請求項１２】
ネットワーク要素（ＮＥ）と情報を交換する手段を備える無線資源マネージャエンティティであって、前記手段が、ユーザ端末（ＵＥ）が周波数選択割振り方法に関与するかどうかについての情報、ならびにユーザ端末のチャネル伝達関数（Ｈｆ）および／または干渉ノイズ評価についての情報を受信する手段と、使用可能な副搬送波周波数セットを少なくとも２つの論理ブロックまたは周波数サブセット（ＳＵ１、ＳＵ２）に区分する手段と、チャネル伝達関数（Ｈｆ）についての、端末のフィードバック情報に従って、伝送に有用な副搬送波を前記端末に割り当てることによって、周波数選択性割振り方式に従って、少なくとも１つの周波数の第１のサブセット（ＳＵ１）の副搬送波周波数を関与端末に割り振る手段とを備えることを特徴とする無線資源マネージャエンティティ。
【請求項１３】
端末に割り振られる副搬送波用の変調方式を決定する手段をさらに備えることを特徴とする請求項１２に記載の無線資源マネージャエンティティ。
【請求項１４】
エアインターフェースのダウンリンクチャネル（ＤＣ）およびフィードバックチャネル（ＦＣ）を介して、ネットワーク（Ｎ）が、データ伝送、信号制御、およびリンク適合のために複数のユーザ端末（ＵＥ）と通信するとともに、いくつかの端末（ＵＥ）が、端末自体の特定のチャネル伝達関数（Ｈｆ）を評価する、ＯＦＤＭなどの多重搬送波変調を用いる無線システムにおいて、ユーザ端末（ＵＥ）に副搬送波周波数を割り振る方法であって、
ある特定の期間に渡ってユーザ端末（ＵＥ）のチャネル伝達関数（Ｈｆ）評価が起こると、端末（ＵＥ）が、端末の測定されたチャネル伝達関数（Ｈｆ）についての情報を、フィードバックチャネル（ＦＣ）を介してネットワーク（Ｎ）に折り返し報告し、
ネットワーク（Ｎ）が、この情報に従い、チャネル伝達関数（Ｈｆ）についての、端末のフィードバック情報に従って、伝送に有用な副搬送波を前記端末に割り当てることによって、少なくとも１つの周波数サブセット（ＳＵ１）の副搬送波周波数を、周波数選択性割振り方式に従って端末（ＵＥ）に割り振ることを特徴とする方法。
【請求項１５】
端末（ＵＥ）が、干渉ノイズ評価についての情報をネットワーク（Ｎ）にさらに報告することを特徴とする請求項１４に記載の方法。
【請求項１６】
フィードバックチャネルを介して端末（ＵＥ）からネットワーク（Ｎ）に送信される前記情報が、圧縮符号化された形で送信されることを特徴とする請求項１４または１５に記載の方法。
【誤訳訂正２】
【訂正対象書類名】明細書
【訂正対象項目名】全文
【訂正方法】変更
【訂正の内容】
【発明の詳細な説明】
【発明の名称】無線多重搬送波伝送システムにおける副搬送波割振りおよび副搬送波変調方式選択のための方法
【技術分野】
【０００１】
本発明は、無線通信システムに関し、より詳細には、固定または移動高速無線多重搬送波システムにおいて、副搬送波を割り振り、副搬送波ごとに変調方式を選択する方法に関する。
【背景技術】
【０００２】
多重搬送波変調へのアプローチは、ＯＦＤＭ（直交周波数分割多重化）である。ＯＦＤＭは、たとえば、デジタル無線信号およびデジタルテレビ信号の伝送に用いられる、２つの高速デジタル無線伝送システムであるＤＡＢ（デジタルオーディオ放送）およびＤＶＢＴ（デジタルビデオ放送地上伝送モード）用に標準化された。ＯＦＤＭ伝送システムが果たす役割が増しつつあるさらなる適用分野は、ローカル無線ネットワークを利用した、有線ネットワークへのモバイルアクセスであり、この場合、高いデータレートも伝達しなければならない。この点に関して、ＨＩＰＥＲＬＡＮ／２標準、ならびに５Ｇｈｚ領域用のＩＥＥＥ８０２．１１ａ標準の拡張について述べることができる。どちらのシステムにおいても、ＯＦＤＭ伝送が適用される。ＯＦＤＭは、高速モバイルアプリケーションのための合理的な代替物を提供することもでき、したがって、次世代移動無線システムまたは第４世代エアインターフェースに向けた重要なステップを表す。
【０００３】
従来の多重搬送波方式では、伝送されるデータが、いくつかの並列データストリームに分割され、各データストリームが、個々の副搬送波を変調するのに使われる。ＯＦＤＭ伝送システムが適用される場合、ブロードバンド無線チャネルは、たとえば、ＱＰＳＫ、１６ＱＡＭ、６４ＱＡＭ、または、副搬送波ごとにより高いデータレートを可能にするより高次の変調を用いて、それぞれ独立に変調される複数の狭帯域下位チャネルまたは副搬送波に細分される。ただし、より高次の変調は、受信機での信号対ノイズの比率（ＳＮＲ）が、復調を可能にするほど十分に高い場合のみ使われることができる。副搬送波周波数は、短時間単位でユーザチャネルに割り振ることができ、副搬送波ごとの変調次数は、各ユーザごとに伝送チャネルを定義するように選択しなければならない。
【０００４】
多重経路無線チャネルを有する地上モバイル環境では、単一の副搬送波のチャネルが非常に大きく減衰する可能性がある。これは、ユーザに割り振られた一部の副搬送波が、フェージングのために無駄になり得ることを意味する。
【０００５】
一部の副搬送波のフェージングを補償するために、Ｚ．Ｗａｎｇ、Ｒ．Ａ．Ｓｔｉｒｌｉｎｇ  Ｇａｌｌａｃｈｅｒ、「Ｉｍｐｒｏｖｉｎｇ  ｐｅｒｆｏｒｍａｎｃｅ  ｏｆ  ｍｕｌｔｉ−ｕｓｅｒ  ＯＦＤＭ  ｓｙｓｔｅｍｓ  ｕｓｉｎｇ  ｂｉｔ−ｗｉｓｅ  ｉｎｔｅｒｌｅａｖｅｒ」（Ｅｌｅｃｔｒｏｎｉｃ  Ｌｅｔｔｅｒｓ、２００１年９月１３日、ｖｏｌ．３７、Ｎｏ．１９）の文書において開示される、知られている方法が、周波数インタリーブ方式に従った、ユーザチャネルへの副搬送波の割振りを提案している。すなわち、ユーザチャネルに割り振られる副搬送波用の周波数が、異なる減衰を経験することができる程十分に離れて選ばれる。この方法に従うことにより、ビットは、こうした副搬送波に渡って分散され、平均化効果が達成され、その結果、平均して未加工ビットエラーレートが容認可能な程低く、前方誤り訂正（ＦＥＣ）符号化メカニズムが、ビットエラーを訂正することができる。
【０００６】
この割振り方法は、フェージングの問題を大幅に削減するが、依然として、移動局を巻き込むダウンリンク伝送には無駄になり得る副搬送波を割り振る。さらに、特定のユーザチャネルに対して、このユーザにとって深刻な減衰を受け、したがってこのユーザへのダウンリンク伝送にとって無駄であるが、フェージングしていないので別のユーザへの伝送には適切であり得る副搬送波を割り振る場合がある。周波数インタリーブ割振りのさらに別の欠点は、その結果生じるビットエラーレートに対するチャネル符号化が、チャネルを介して伝送されることができる使用可能な純ビットレートを低下させる多くの冗長性を必要とすることである。
【非特許文献１】Ｚ．Ｗａｎｇ、Ｒ．Ａ．Ｓｔｉｒｌｉｎｇ  Ｇａｌｌａｃｈｅｒ、「Ｉｍｐｒｏｖｉｎｇ  ｐｅｒｆｏｒｍａｎｃｅ  ｏｆ  ｍｕｌｔｉ−ｕｓｅｒ  ＯＦＤＭ  ｓｙｓｔｅｍｓ  ｕｓｉｎｇ  ｂｉｔ−ｗｉｓｅ  ｉｎｔｅｒｌｅａｖｅｒ」（Ｅｌｅｃｔｒｏｎｉｃ  Ｌｅｔｔｅｒｓ、２００１年９月１３日、ｖｏｌ．３７、Ｎｏ．１９）
【発明の開示】
【発明が解決しようとする課題】
【０００７】
本発明の目的は、上述した従来技術の技術的問題を解決することであり、また、各端末の好ましい受信性能に合致する伝送を用いることによって、ＯＦＤＭなどの高速無線モバイル多重搬送波システムに、改良された副搬送波割振り方法を提供することである。
【課題を解決するための手段】
【０００８】
この目的は、本発明によれば、エアインターフェースのダウンリンクチャネルおよびフィードバックチャネルを介して、データ伝送、信号制御、およびリンク適合のために複数のユーザ端末と通信するようにネットワークが構成されるとともに、いくつかの端末が、端末自体の特定のチャネル伝達関数を評価する、ＯＦＤＭなどの多重搬送波変調を用いる無線システムにおいて、ユーザ端末に副搬送波周波数を割り振る方法によって達成され、この方法において、
ある特定の期間に渡って端末のチャネル伝達関数評価が起こると、端末は、端末のチャネル伝達関数が予測可能であるかどうか、また、端末が周波数選択性副搬送波割振り方法に関与したいかどうかを、端末のフィードバックチャネルを介してネットワークに報告し、
周波数選択性割振り手順に関与する端末の数、端末それぞれのトラフィック要求、および端末のチャネル伝達関数特性についての情報に応じて、ネットワークは、使用可能な副搬送波周波数セットを、少なくとも２つの論理ブロックまたは周波数サブセットに区分し、
関与端末（ｐａｒｔｉｃｉｐａｔｉｎｇ  ｔｅｒｍｉｎａｌ）は、端末の、測定されたチャネル伝達関数および干渉ノイズ評価についての情報を、フィードバックチャネルを介してネットワークに折り返し報告し、
ネットワークは、この情報に従い、チャネル伝達関数についての、端末のフィードバック情報に従って、伝送に有用な副搬送波を前記端末に割り当てることによって、少なくとも１つの周波数の第１のサブセットの副搬送波周波数を、周波数選択性割振り方式に従って関与端末に割り振り、周波数インタリーブ方式に従って、それ以外の端末に、少なくとも１つの第２の周波数サブセットの副搬送波周波数を割り振る。
【０００９】
本発明の目的はまた、
上述した方法による、多重搬送波変調を用いる無線システムにおける、複数のユーザ端末への副搬送波周波数割振り手段を備えるネットワーク要素と、
ある特定の期間に渡って端末のチャネル伝達関数および干渉ノイズを評価し、端末の、測定されたチャネル伝達関数および／または干渉ノイズ評価についての前記情報を、フィードバックチャネルを介してネットワークに折り返し報告する手段を備えるユーザ端末と、
上述した方法による、多重搬送波変調を用いる無線システムにおいて、複数のユーザ端末に対して副搬送波周波数割振りを実施する無線資源マネージャエンティティとによって達成される。
【００１０】
本発明の有利な構成は、従属請求項、以下の説明、および図面から明らかになる。たとえば、提案する本発明を利用することにより、すべての副搬送波周波数用の変調方式を選択することもでき、最高次の変調（たとえば６４ＱＡＭ）が、できるだけ多くの端末に対して用いられ、そうすることによって、できるだけ多くの加入者にサービスを提供するために、システム全体に対する最大無線セルトラフィックスループットを向上することができ、より高いデータ伝送レートが達成されることが有利と思われる。ユーザ端末において必要とされるチャネル符号化／復号化の複雑さが低下することも有利である。
【発明を実施するための最良の形態】
【００１１】
ここで、本発明の実施形態の例を、図１〜５を利用して説明する。
【００１２】
図１は、ＯＦＤＭの時間−周波数を表すＴ−Ｆグリッドに入れた、４つのユーザチャネルＡ、Ｂ、Ｃ、Ｄへの副搬送波Ｓ１〜ＳＮの例示的な割振りを示す。
【００１３】
ＯＦＤＭは、１人のユーザまたは１つの論理チャネルＡ、Ｂ、Ｃ、Ｄに１つまたは複数の副搬送波Ｓ１〜ＳＮを柔軟に割り振って、このユーザチャネル用のデータレートを制御する可能性をもたらす。この可能性は、ＴＤＭＡシステムにおいて、時間とともに（たとえば、２ｍｓの期間である、Ｋシンボル期間Ｔｓの変化期間とともに）変わり得るので、図１に示すような２次元の資源割振りグリッドを得る。
【００１４】
時間−周波数グリッドの位置の一部は、パイロット情報または信号情報の搬送に使われるので、データ伝送に対して利用可能でない場合がある。
【００１５】
残っている位置でのユーザの割当ては、周波数または時間あるいはその両方の組合せに基づいて行われることができる。
【００１６】
図２は、５Ｍｈｚの帯域幅に及ぶ周波数選択性フェージングを伴うユーザチャネル伝達関数Ｈｆの図の例を示す。
【００１７】
広帯域無線通信では、多重経路の拡がりによる深刻な周波数選択性フェージングが、ユーザチャネルの質を低下させる。ＯＦＤＭ信号は、たとえば、５Ｍｈｚの帯域幅に及ぶ３００または７００個の副搬送波を有することができ、したがって、受信機での副搬送波ごとのＳＮＲも、周波数ごとに大きく異なり、つまり、一部の搬送波は大きく減衰され、他の搬送波は減衰されない。
【００１８】
ユーザチャネル伝達関数Ｈｆ、たとえば図２に示すユーザチャネル伝達関数Ｈｆは、各ユーザ端末およびその現在の受信条件に対して一義的かつ固有である。ユーザチャネル伝達関数Ｈｆは、たとえば、ユーザの移動によってまたは隣接伝送干渉によって引き起こされる変化の影響を受ける。このようなチャネル評価は、次いで、データ受信の質を向上させるために、当該分野において知られている方法によってＯＦＤＭ受信機内で実施されなければならない。
【００１９】
図３は、モバイル通信システムのブロック図を示し、この図において、複数のネットワーク要素ＮＥを含む移動無線ネットワークＮ、および複数のユーザ端末ＵＥが、少なくともダウンリンクでは、ＯＦＤＭなどの多重搬送波変調方式を用いて、エアインターフェースのダウンリンクチャネルＤＣおよびフィードバックチャネルＦＣを介してデータ情報を交換し、ネットワークＮおよびユーザ端末ＵＥは、本発明による、ユーザ端末への副搬送波周波数割振り手段を備える。
【００２０】
本発明は、図２の例に示すように、通常は異なる多くのユーザチャネル伝達関数Ｈｆが１つのセル上に同時に存在するので、１つの副搬送波周波数が無線セル中のユーザ端末ＵＥすべてに対して減衰される確率はゼロに近いという第１の観察結果から始まる。さらに、本発明は、一部のユーザ端末ＵＥが高速移動し、予測不可能な周波数選択を伴う、高速変化し予測不可能なチャネル伝達関数Ｈｆを経験し、その間、チャネル伝達関数Ｈｆが、先行して一部の伝送時間間隔に対して予測可能である、ほぼ静止したまたは低速変化するチャネル状況を経験するいくつかのユーザ端末ＵＥが存在するという第２の観察結果から始まる。
【００２１】
本発明、および上述した観察結果によれば、ユーザ端末の一義的なチャネル伝達関数Ｈｆの知識に基づいて、ユーザ端末ＵＥに特定の副搬送波を割り振ることが可能であり、特定の端末にとって有用なまたは無用な副搬送波についてのこのような知識は次いで、ネットワークＮによって割振り処理に使われる。
【００２２】
本発明によれば、端末ＵＥが端末のチャネル伝達関数Ｈｆをある特定の期間に渡って評価すると、端末は、端末のチャネル伝達関数Ｈｆが予測可能であるかどうか、また、周波数選択性副搬送波割振り方法に関与したいかどうかを、端末のフィードバックチャネルＦＣを介してネットワークＮに報告する。たとえば、周波数選択性割振り手順に関与する端末ＵＥの数、端末それぞれのトラフィック要求、および端末のチャネル伝達関数Ｈｆ特性に関する情報に応じて、ネットワークＮは、図１に示す使用可能なＯＦＤＭの時間−周波数を表すＴ−Ｆグリッドを少なくとも２つの論理ブロックまたは周波数サブセットに区分し、少なくとも第１のサブセットは、予測可能チャネル伝達関数Ｈｆを有する端末に対する周波数選択性割振りに使われる周波数を含み、端末は、この割振り処理への関与を望み、少なくとも第２のサブセットは、予測可能伝達関数Ｈｆをもたない端末、または周波数選択性割振り方法への関与を望まない端末の場合に従来の周波数インタリーブ割振りに使われる周波数を有する。関与端末ＵＥは、次いで、端末の測定されたチャネル伝達関数Ｈｆと、必要とされる場合には、干渉ノイズ評価とについての情報を、フィードバックチャネルＦＣを介してネットワークＮに折り返し報告する。ネットワークＮは、この情報に従い、端末のチャネル伝達関数Ｈｆに従って、伝送に有用な副搬送波を前記端末に割り当てることによって、周波数選択性割振り方法において第１のサブセットから関与端末に副搬送波周波数を割り振り、前述した従来の周波数インタリーブ方式に従って、第２のサブセットからそれ以外の端末に他の副搬送波周波数を割り振る。
【００２３】
また、本発明によれば、ネットワークＮは、関与端末に副搬送波周波数を割り振るとき、前記副搬送波用の変調方式（たとえば、ＱＰＳＫ、１６ＱＡＭ、６４ＱＡＭ）をさらに決定することができる。
【００２４】
この割振り手順は繰り返し行われ、周波数選択性割振りは、新しい関与ユーザ端末ＵＥのチャネル伝達関数Ｈｆ報告が再度使用可能になるまで、定常性が予想され得る無線チャネル可干渉時間とほぼ同じ適切な時間間隔で続く。
【００２５】
副搬送波割振り原理は、ユーザ／サービス要求またはユーザ／サービス優先度のような他の要因を割振り処理に組み込むためにも開放されており、こうした制約の下で可能な限り最高のセルスループットを常に達成する。
【００２６】
関与端末ＵＥが、本発明によって、端末の測定されたチャネル伝達関数Ｈｆおよび干渉ノイズ評価についての情報を、フィードバックチャネルＦＣを介してネットワークＮに折り返し報告する方法は、好ましい実施形態では、フィードバックトラフィックを削減するために、圧縮符号化された形であるべきである。たとえば、この報告は、特定のパイロット副搬送波についての量子化された測定値と、必要とされる場合には、可能な限り、量子化された追加ノイズ評価とを送信することによって、または、チャネルインパルス応答の評価された遅延および振幅値を、量子化された形および追加ノイズ評価として送信することによって、または、ある特定の変調方式が、どの副搬送波において有用であり、どの副搬送波では有用でないかを単に記述することによって、行うことができる。この最後の方法は、たとえば、それぞれのどの変調方式（たとえば、ＱＰＳＫ、１６ＱＡＭ、６４ＱＡＭ）が、どの周波数において伝送に適合しており、どの周波数において適合していないかを示す、副搬送波周波数の軸に渡る整数関数を送信することによって、行われる。
【００２７】
この最後の方式では、送信側ネットワークが通常、非常に限られた数の変調方式間での選択しかもたない観察結果を使用する。
【００２８】
図４は、周波数サブセットＳＵ１およびＳＵ２の２つの論理ブロック中で使用可能な副搬送波周波数セットの適切な区分の例を示し、第１のサブセットＳＵ１は、ラスタＲ０、Ｒ１、およびＲ２を含み、第２のサブセットＳＵ２は、ラスタＲ３〜Ｒ７を含む。
【００２９】
図の例に示すように、移動無線ネットワークＮは、異なる副搬送波周波数の軸を、たとえば、周波数ラスタ（ｒａｓｔｅｒ）と呼ばれる、等間隔の周波数ポイントからなる８個のインタリーブされたサブセットに区分する。したがってこの例では、周波数ラスタＲ０〜Ｒ７がある。このように、サブセットＳＵ１およびＳＵ２両方において、周波数ダイバーシティがもたらされ、第１のサブセットＳＵ１は、周波数選択性割振り手順に使用され、第２のサブセットＳＵ２は、周波数インタリーブ割振りに使用される。
【００３０】
図４は可能な区分方法の例に過ぎず、前記区分を行うさらなる方法が可能であることを理解されたい。たとえば、より多くのサブセットに区分することも可能であり、サブセットのどれもがゼロ周波数を割り当てられることも可能であり、このことは、ただ１組の周波数が割振りに使用可能であることを意味する。やはり図１を説明するときに上述したように、時間−周波数グリッドの区分は、時間および周波数に対して行われることもでき、前記区分は、割振り方法用に使われる。
【００３１】
図５は、ネットワークＮに、ユーザチャネル伝達関数についての特定の情報を送信する方法の例を示す。この送信は、検討される索引としての変調方式（たとえば、ＱＰＳＫ、１６ＱＡＭ、６４ＱＡＭ）、およびどの周波数がこの変調方式での伝送に適合しており、どの周波数が適合していないかを示す整数関数Ａ（ｆ）を送信することによって行われる。
【００３２】
前記整数関数は、フィードバックチャネルＦＣ上のトラフィックを最小限にするために、ランレングス符号化などのソースコード化アルゴリズムによって、さらに圧縮された形で送信されることもできる。この原理は、ネットワークＮの異なる送信アンテナごとにフィードバック情報が別個に与えられる複数入出力（ＭＩＭＯ）システムのケースに一般化されることもできる。
【００３３】
一般化のため、本発明の説明に対してＯＦＤＭ変調方式が用いられたが、上記の提案は、原則的に、ＯＦＤＭとは別のどの多重搬送波変調方式にも同様に適合されることができることを理解されたい。
【００３４】
本明細書において説明した割振り方法は、移動無線ネットワークＮのどこでも、つまり、基地局や無線ネットワークコントローラなどのネットワーク要素ＮＥにおいて実装されることができ、割振りアルゴリズムを実施する、ネットワーク要素ＮＥ内部または外部の無線資源マネージャエンティティによっても実施されることができることも理解されたい。この無線資源マネージャエンティティは、ハードウェア手段によっても、ソフトウェア手段によっても実装されることができる。
【００３５】
副搬送波割振りおよび変調方式選択を、アップリンクチャネルにおいて、同じ原理を用いて端末からネットワークへのデータ伝送に適用することもできる。
【図面の簡単な説明】
【００３６】
【図１】ユーザチャネルに対する副搬送波をＯＦＤＭの時間−周波数グリッドにマッピングする例を示す図である。
【図２】周波数選択性フェージングを伴うユーザチャネル伝達関数を示す図の例である。
【図３】本発明による、ユーザ端末への副搬送波周波数割振り手段を備えるモバイル通信システムを示すブロック図である。
【図４】本発明による、周波数サブセットの２つの論理ブロックにおける、副搬送波周波数セットの適切な区分の例を示す図である。
【図５】モバイル無線ネットワークに、ユーザチャネル伝達関数についての特定の情報を送信する方法の例を示す図である。
【符号の説明】
【００３７】
ＤＣ  ダウンリンクチャネル
ＦＣ  フィードバックチャネル
ＵＥ  ユーザ端末
Ｎ  ネットワーク
Ｈｆ  チャネル伝達関数
ＳＵ１、ＳＵ２  周波数サブセット
ＮＥ  ネットワーク要素
Ｒ０、Ｒ１、Ｒ７  ラスタ